(57)【要約】      （修正有）【課題】釣り糸を切ることなく、釣り糸に脱着可能な魚釣り用の浮きを提供する。【解決手段】浮き１は本体２、外殻部５、突出部７を備え、本体２は円柱形状を呈し、錘を収容する収容部、釣り糸が通るための本体２を長手方向に貫通する貫通穴１０、本体２の外周側から貫通穴１０に至るように長手方向に形成された割り溝を有し、外殻部５は中空の円筒形状を呈し、本体２の貫通穴１０に釣り糸を通すために長手方向に形成された割り溝６を有し、突出部７は本体２の上部に設けられ、中空の円筒形状を呈し、本体２の貫通穴１０に釣り糸を通すために長手方向に形成された割り溝８を有し、本体２、外殻部５、突出部７は周方向に回転可能であり、本体２、外殻部５、突出部７を回転させて割り溝６、８の位置を合わせることにより、釣り糸を貫通穴１０から脱着するための開口が形成される。【選択図】図１
0003214773.tif 000002
【実用新案登録請求の範囲】
【請求項１】
釣り糸に取り付ける浮きであって、
本体部と、外殻部と、突出部と、を備え、
前記本体部は、円柱形状を呈し、第１の錘を収容する収容部と、釣り糸が通るための前記本体部を長手方向に貫通する貫通穴と、前記本体部の外周側から前記貫通穴に至るように前記長手方向に形成された第１の割り溝と、を有し、
前記外殻部は、中空の円筒形状を呈し、前記本体部の前記貫通穴に釣り糸を通すために、前記長手方向に形成された第２の割り溝を有し、
前記突出部は、前記本体部の上部に設けられ、中空の円筒形状を呈し、前記本体部の前記貫通穴に釣り糸を通すために前記長手方向に形成された第３の割り溝を有し、
前記本体部、前記外殻部、及び前記突出部は、周方向に回転可能であり、
前記本体部、前記外殻部、及び前記突出部を回転させて前記第１の割り溝、前記第２の割り溝、及び前記第３の割り溝の位置を合わせることにより、釣り糸を前記貫通穴から脱着するための通路が形成される浮き。
【請求項２】
前記本体部の前記貫通穴と前記収容部は、前記本体部の中心軸を介して対向する位置に設けられ、
前記収容部の外周部のうち、前記貫通穴から遠い半周側には、第２の錘が付設され、
前記収容部に前記第１の錘を収容しない場合には、前記貫通穴が前記収容部よりも水面に対して上側になるように浮く請求項１に記載の浮き。
【請求項３】
前記収容部は、前記第１の錘及び前記第１の錘を押圧する弾性部材を収容可能であり、
前記浮きの傾斜方向及び傾斜角度は、前記収容部に収容する前記第１の錘の重さと、前記収容部に収容する前記第１の錘及び前記弾性部材の収容順序と、により調整することが可能である請求項１又は請求項２に記載の浮き。
【請求項４】
前記収容部は、前記収容部の開口部を密封する栓を有し、
前記栓は、前記収容部への水の侵入を防ぐための密封部材と、釣り糸を通すための前記栓の径方向に貫通した穴と、を有する請求項１から請求項３のいずれか１項に記載の浮き。
【考案の詳細な説明】
【技術分野】
【０００１】
本考案は、魚釣りに用いる浮きに関する。
【背景技術】
【０００２】
魚釣りに用いる浮きは、釣針と釣り竿の略中間に設けられる。現在市販されている魚釣りに用いる浮きは、１）潮流が速い場合、２）潮流が緩やかな場合、３）遠投したい場合、４）中・近投したい場合、のそれぞれの場面や状況に合わせ、釣り糸に通す浮きそのものを適切な浮きに交換しなければならない。浮きを交換する場合には、浮きの上方の釣り竿に近い部分の釣り糸を切断し、元の浮きを外した後に、新しい浮きを釣り糸に付け替える作業が必要となる。そのため、浮きを交換するたびに釣り糸を切断し、適切な浮きを釣り糸に付け替えて、釣り糸を結ぶ作業が行うため、手間がかかるという課題がある。
【０００３】
そのため、釣り糸を切ることなく、浮き本体の交換が可能な釣り糸の中通しが不要な浮きとして、例えば特許文献１には、中心に貫通穴を設けるとともに、貫通穴に達する割り溝を有した中空卵状の浮き本体と、浮きの上下で螺合する２つの芯棒から構成される浮きが開示されている。
【先行技術文献】
【特許文献】
【０００４】
【特許文献１】特開２０００−６０３８６号公報
【考案の概要】
【考案が解決しようとする課題】
【０００５】
しかしながら、上述した浮きでは、予め芯棒に釣り糸が通されていないと浮き本体に取り付けることができず、他の仕掛けを使用する場合には、芯棒が邪魔になるため、釣り糸を切って取付けをしなければならない。また、浮き本体には予め浮力調整用の錘が内蔵されているが、錘の重さを変更する場合には、所望の重さの錘を備える浮き本体に交換しなければならないという課題がある。
【０００６】
本考案は、上記の事情に鑑みてなされたもので、釣り糸を切ることなく、釣り糸に脱着可能な魚釣り用の浮きを提供することを例示的課題とする。
【課題を解決するための手段】
【０００７】
上記の課題を解決するために、本考案は以下の趣旨を有する。
【０００８】
［趣旨１］
釣り糸に取り付ける浮きであって、
本体部と、外殻部と、突出部と、を備え、
前記本体部は、円柱形状を呈し、第１の錘を収容する収容部と、釣り糸が通るための前記本体部を長手方向に貫通する貫通穴と、前記本体部の外周側から前記貫通穴に至るように前記長手方向に形成された第１の割り溝と、を有し、
前記外殻部は、中空の円筒形状を呈し、前記本体部の前記貫通穴に釣り糸を通すために、前記長手方向に形成された第２の割り溝を有し、
前記突出部は、前記本体部の上部に設けられ、中空の円筒形状を呈し、前記本体部の前記貫通穴に釣り糸を通すために前記長手方向に形成された第３の割り溝を有し、
前記本体部、前記外殻部、及び前記突出部は、周方向に回転可能であり、
前記本体部、前記外殻部、及び前記突出部を回転させて前記第１の割り溝、前記第２の割り溝、及び前記第３の割り溝の位置を合わせることにより、釣り糸を前記貫通穴から脱着するための通路が形成される。
【０００９】
［趣旨２］
前記本体部の前記貫通穴と前記収容部は、前記本体部の中心軸を介して対向する位置に設けられ、
前記収容部の外周部のうち、前記貫通穴から遠い半周側には、第２の錘が付設され、
前記収容部に前記第１の錘を収容しない場合には、前記貫通穴が前記収容部よりも水面に対して上側になるように浮いてもよい。
【００１０】
［趣旨３］
前記収容部は、前記第１の錘及び前記第１の錘を押圧する弾性部材を収容可能であり、
前記浮きの傾斜方向及び傾斜角度は、前記収容部に収容する前記第１の錘の重さと、前記収容部に収容する前記第１の錘及び前記弾性部材の収容順序と、により調整することが可能であってもよい。
【００１１】
［趣旨４］
前記収容部は、前記収容部の開口部を密封する栓を有し、
前記栓は、前記収容部への水の侵入を防ぐための密封部材と、釣り糸を通すための前記栓の径方向に貫通した穴と、を有してもよい。
【００１２】
本考案の更なる目的又はその他の特徴は、以下添付図面を参照して説明される好ましい実施の形態によって明らかにされるであろう。
【考案の効果】
【００１３】
本考案によれば、釣り糸を切ることなく、釣り糸に脱着可能な魚釣り用の浮きを提供することができる。
【図面の簡単な説明】
【００１４】
【図１】実施形態の浮きの全体構成を示す斜視図
【図２】実施形態の浮きの（ａ）浮き本体、外殻部を上方向から見た分解斜視図、（ｂ）浮き本体、外殻部を下方向から見た分解斜視図、（ｃ）底蓋の分解斜視図、（ｄ）突出部の斜視図、（ｅ）突起栓、錘、スプリングの分解斜視図
【図３】実施形態の（ａ）浮きの断面を示す断面図、（ｂ）（ａ）とは異なる平面で切断したときの断面を示す断面図
【図４】実施形態の浮きを装着した釣り竿と釣り糸の模式図
【図５】実施形態の浮きを装着した釣り竿と釣り糸の模式図
【考案を実施するための形態】
【００１５】
［実施形態］
（浮きの全体構成）
図１は、本考案の実施形態に係る浮きの全体構成を示す斜視図である。本考案の浮き１は、浮きの本体部分である本体２、本体２を覆う外殻部５、本体２の図中上部に設けられた突出部７から構成されている。更に、本体２は、釣り糸を通すための貫通穴１０と、錘を収容する後述する収容部１４（図２参照）の収容口である開口部を密閉するためのネジ式の突起栓１１と、を備えている。
【００１６】
また、本体２は、本体２を周方向に回転させる際の指の滑り止めのために、突出部７に隣接する外周部に凸部と凹部とが交互に設けられた滑り止め部４を備えており、その一部が切り欠かれて、貫通穴１０と繋がっている開口部である割り溝（スリットともいう）３（第１の割り溝）が設けられている。なお、貫通穴１０と繋がっている本体２の割り溝は、後述するように本体２の長手方向（図中、上下方向）に沿って設けられている（図２参照）。同様に、突出部７の外周部にも、突出部７を周方向に回転させる際の指の滑り止めのために、凸部と凹部とが交互に設けられた滑り止め部９を備えている。また、突出部７の滑り止め部９にも、滑り止め部９の一部が切り欠かれて割り溝８（第３の割り溝）が設けられている。更に、外殻部５も、周方向に回転可能であり、外殻部５の長手方向（図中、上下方向）に沿って割り溝６（第２の割り溝）が設けられている。
【００１７】
そして、本体２の割り溝３、外殻部５の割り溝６、突出部７の割り溝８の溝部分の位置を、１本の直線状の溝部を形成するように揃えることにより、本体２に設けられた貫通穴１０へ釣り糸を通すための通路である開口が形成される。そして、釣り糸を割り溝３、６、８を介して貫通穴１０に通した後、本体２、外殻部５、及び突出部７を周方向に回転させることにより、割り溝３、６、８の各溝部が互いに位置がずれて貫通穴１０への開口が塞がれ、貫通穴１０に通された釣り糸が浮き１から抜けなくなる。一方、浮き１を釣り糸から外す場合には、本体２、外殻部５、及び突出部７を周方向に回転させて、本体２の割り溝３、外殻部５の割り溝６、突出部７の割り溝８の各溝部分を揃えて、１本の溝を形成することにより、本体２に設けられた貫通穴１０から釣り糸を抜くための開口が形成され、釣り糸を切ることなく、浮き１を釣り糸から外すことができる。
【００１８】
また、後述するように、収容部１４の外周には錘２９が埋め込まれている（図３参照）。そのため、収容部１４に後述する錘２７（図２（ｅ）参照）を収容していない場合には、浮き１は、水面に対して収容部１４を下側にし、貫通穴１０を上側にして水面に浮かんだ状態となる。また、収容部１４に錘２７を収容することにより、浮き１が重くなり、釣針を遠くに飛ばすことができるとともに、浮き１を水面に対して水平状態から傾斜した状態にすることができる。これにより、釣針が沈んでいく際に貫通穴１０を通る釣り糸が、釣針の動きに連れて、移動しやすくなる。更に、収容部１４に収容する錘２７の数を増減させることにより、浮き１を傾斜させたい角度を調整することができる。なお、突起栓１１が収容部１４の開口部に接触する部分には、収容部１４に水が浸入しないように、密閉部材であるゴム製のパッキン１３が設けられている。
【００１９】
また、収容部１４の突起栓１１には、貫通穴１２（突起栓１１の内部の貫通部分を破線で示す）が設けられている。例えば、収容部１４に収容する錘２７を重くすることにより、浮き１を水面に対して直立した状態に設定することができる。このような場合には、釣り糸を本体２の貫通穴１０に通さずに、貫通穴１２に通しても釣りを楽しむことができる。更にその他の用途として、例えば突起栓１１が堅く締まり、素手では外すことができないときには、貫通穴１２に針金やヘアピンを通して突起栓１１を回転させることにより、突起栓１１を外す用途に用いることもできる。
【００２０】
［浮き各部の構成］
図２（ａ）〜（ｅ）は、図１で説明した浮き１の各部分の構成を説明する図である。以下では、図２（ａ）〜（ｅ）を参照して、本考案の浮きの各部分の構成について説明する。
【００２１】
（本体、外殻部）
図２（ａ）は、図１で説明した浮き１から突出部７及び突起栓１１を外し、更に、外殻部５を本体２から外した状態で、本体２と外殻部５を斜め上方向から見た分解斜視図である。また、図２（ｂ）は、図２（ａ）に示す状態の本体２と外殻部５を斜め下方向から見た分解斜視図である。本体２は、滑り止め部４と、胴体部１８と、から構成されている。前述したように、胴体部１８には、貫通穴１０と収容部１４とが設けられている。更に、図２（ａ）に示すように、胴体部１８の上端部から下端部までの長手方向に沿って、貫通穴１０と繋がった割り溝１７が設けられ、胴体部１８の割り溝１７と滑り止め部４の割り溝３の溝部分が１つの連続する溝部を形成するように、滑り止め部４は胴体部１８に嵌め込まれている。
【００２２】
また、図２（ａ）に示すように、収容部１４の開口部は、本体２の頭頂面１５よりも高くなっており、収容部１４の開口部の内部には、突起栓１１のネジ山と螺合するためのネジ溝が設けられている。また、本体２の胴体部１８の頭頂面１５と滑り止め部４との間には、後述する突出部７の爪２６を嵌め込むための溝１６が、滑り止め部４の内周側に設けられている。
【００２３】
図２（ｂ）に示すように、貫通穴１０の開口部は、胴体部１８の底面にもあり、貫通穴１０が胴体部１８を貫通していることが分かる。また、貫通穴１０の胴体部１８の底面側の開口部には、接触する釣り糸が貫通穴１０の開口部に引っかかることがなく円滑に移動するように、割りワッシャ１９が設けられている。なお、本実施形態では、本体２の頭頂面１５の貫通穴１０の開口部には、割りワッシャを設けていない。更に、胴体部１８の底面には、後述する底蓋２３を嵌め込むための嵌め込み部２０が設けられている。嵌め込み部２０は、貫通穴１０の開口部の形状（円形状）に合わせた切り欠き部と、底蓋２３に設けられた突起部２４、２５の爪３６、３７を嵌め込むための切り欠き部を有している（図２（ｃ）参照）。
【００２４】
外殻部５は、本体２を挿入するために内部が中空の円筒形状を呈しており、側面には、図中上側の端部から下側の端部までの長手方向に沿って、割り溝６が設けられている。そして、本体２の胴体部１８を外殻部５に挿入した状態（外殻部５を本体２の胴体部１８に被せた状態でもある）で、本体２又は外殻部５が周方向に回転可能なように、外殻部５の内径は、本体２の胴体部１８の外径よりも大きい。また、外殻部５の側面部の厚さは、滑り止め部４と胴体部１８の径の差、すなわち滑り止め部４の厚さと略同じである。
また、外殻部５の滑り止め部４に接触する端部とは反対側の端部である底面には、端部の内側に円形状の底面部２２が設けられている。底面部２２の中央部には、円形状の開口が設けられており、開口の直径は、底蓋２３の直径よりも小さく、底蓋２３に設けられた突起部２４、２５を嵌め込み部２０に挿入可能な大きさである。また、底面部２２の開口の一部は切り欠かれ、外殻部５の割り溝６と繋がっている。
【００２５】
（底蓋）
図２（ｃ）は、本体２と底蓋２３の形状を説明する図であり、嵌め込み部２０及び底蓋２３の形状を説明するため、図２（ｂ）に示す本体２を反時計回り方向に回転させた状態の本体２を斜め下方向から見た分解斜視図である。更に、図２（ｃ）には、底蓋２３を胴体部１８の嵌め込み部２０側から見た斜視図と、底蓋２３の突起部２４、２５の形状を説明するための側面図を示している。底蓋２３の胴体部１８の嵌め込み部２０に対向する面には、一対の突起部２４、２５が設けられている。突起部２４、２５は、側面図に示すように、Ｌ字形状を有し、それぞれ爪３６、３７を有している。外殻部５に本体２を挿入した状態で、底蓋２３に設けられた突起部２４、２５の位置を本体２の胴体部１８の嵌め込み部２０の切り欠き部の位置に合せて、底蓋２３を胴体部１８方向に押し込む。すると、底蓋２３の突起部２４、２５に設けられた爪３６、３７が胴体部１８の嵌め込み部２０の切り欠き部の溝２１に嵌め込まれる。これにより、底蓋２３は胴体部１８に固定されるとともに、外殻部５の抜け止めとなって、外殻部５は本体２から抜けない状態となる。
【００２６】
（突起部）
図２（ｄ）は、突出部７を上方向から見た斜視図である。突出部７は、図２（ｄ）に示すように、内部が中空の円筒形状を呈し、外周側には凸部と凹部が交互に設けられた滑り止め部９と、釣り糸を通過させるための割り溝８と、を備えている。また、突出部７の本体２に対向する端部には、外周方向に広がる爪２６を有している。そして、上述した胴体部１８の頭頂面１５と滑り止め部４との間に設けられた溝１６に突出部７の爪２６を挿入し、突出部７を本体２に嵌め込むことにより、突出部７は周方向への回転が可能となり、突出部７の割り溝８の位置を移動させることができる。
【００２７】
（突起栓）
図２（ｅ）は、本体２に設けられた収容部１４の突起栓１１を上方向から見た斜視図と、収容部１４に収容する球形状の丸玉錘（以下、錘という）２７と、収容部１４に収容された錘２７が移動しないように押さえるための弾性部材であるスプリング２８の形状を説明する図である。
【００２８】
突起栓１１は、収容部１４の開口部を密閉するためのネジ式の蓋であり、上述した貫通穴１０と、防水のための密閉部材であるパッキン１３と、収容部１４内部に設けられたネジ溝に合わせたネジ山を有している。収容部１４に錘２７を収容する場合、先に錘２７を入れた後に、スプリング２８を入れて突起栓１１による蓋をする場合と、収容部１４に先にスプリング２８を入れた後に、錘２７を入れて突起栓１１によって密閉する場合とがある。収容部１４に先に錘２７を入れる場合には、収容部１４の奥側、すなわち本体２の底面側が重たくなるため、浮き１は、突起栓１１側が水面に対して上側に位置する状態となる。一方、収容部１４に先にスプリング２８を入れ、後から錘２７を入れる場合には、収容部１４の手前側、すなわち本体２の頭頂面１５側が重たくなるため、浮き１は、突起栓１１側が水面に対して下側に位置する状態となる。このように、状況に応じて、収容部１４に錘２７、スプリング２８を挿入する順序を変えることにより、浮き１の状態を変更することができる。
【００２９】
［浮きの内部構造］
図３は、本実施形態の浮き１の内部構造を説明するための断面図である。図３（ａ）は、本体２の胴体部１８の中心軸を含む面で浮き１を切断したときの断面を示す断面図である。なお、図３（ａ）では、貫通穴１０、収容部１４の大きさや、浮き１における位置関係を説明するため、貫通穴１０、収容部１４を、貫通穴１０及び収容部１４の中心軸を含む面で切断したときの切断面も併せて示している。また、図３（ａ）には、胴体部１８の嵌め込み部２０と底蓋２３の突起部２４、２５との位置関係を説明するため、胴体部１８の嵌め込み部２０の位置に合わせた、嵌め込み部２０側から見たときの底蓋２３の突起部２４、２５の位置を示す図、及び底蓋２３の側面図を示している。
【００３０】
図３（ａ）に示すように、貫通穴１０は、胴体部１８の頭頂面１５から底面までを貫通している円筒形状の穴である。また、収容部１４は、最大数の錘２７及びスプリング２８を収容可能な深さ（長さ）を有しているが、胴体部１８を貫通しておらず、収容部１４の長さは、胴体部１８の長手方向の長さよりも短い。また、胴体部１８の頭頂面１５及び底面から等距離の位置の収容部１４の外周には、錘２９が埋め込まれている。更に、貫通穴１０の直径は、収容部１４の直径よりも小さい。
【００３１】
図３（ａ）より、胴体部１８の頭頂面１５と滑り止め部４との間に設けられた溝１６に突出部７の爪２６が嵌め込まれていることが分かる。また、図３（ａ）より、底蓋２３の突起部２４、２５に設けられた爪３６、３７が胴体部１８の嵌め込み部２０の切り欠き部の溝２１に嵌め込まれていることが分かる。そのため、外殻部５の底面部２２は、底蓋２３により押さえ込まれ、外殻部５は、本体２（胴体部１８）から抜けない状態となっていることが分かる。
【００３２】
続いて、図３（ｂ）は、本体２の胴体部１８を、貫通穴１０及び収容部１４の中心軸を含む面で切断したときの断面を示す断面図である。また、図３（ｂ）では、胴体部１８の嵌め込み部２０と底蓋２３の突起部２４、２５との位置関係を説明するため、胴体部１８の嵌め込み部２０の位置に合わせた、嵌め込み部２０側から見たときの底蓋２３の突起部２４、２５の位置を示している。
【００３３】
図３（ｂ）より、胴体部１８に埋め込まれた錘２９は、収容部１４の貫通穴１０から遠い側の半周側に付設されていることが分かる。これにより、収容部１４に錘２７を収容していない状態では、浮き１を水面に浮かべた際に、収容部１４側を下側（例えば水中）に、貫通穴１０側を上側（例えば水面上）にして、浮かんだ状態になる。また、収容部１４に錘２７を収容することにより、浮き１は収容部１４側が更に水中に沈んだ状態となる。
【００３４】
［浮きの使用態様］
図４は、本実施形態の浮き１の具体的な使用態様の例を示す模式図である。図４（ａ）は、浮き１の突起栓１１が釣針３４側に位置するように釣り糸（図中、道糸３０）が貫通穴１０に通されたときの模式図である。図４（ａ）に示すように、道糸３０の先には、糸よれを防ぐためのヨリモドシ３１を介して、ハリス糸３２、錘３３、釣針３４が連結されている。一方、図４（ｂ）は、浮き１の突起栓１１が釣り竿側に位置するように釣り糸（図中、道糸３０）が貫通穴１０に通されたときの模式図である。図４（ｂ）の場合も、図４（ａ）と同様に、道糸３０の先には、糸よれを防ぐためにヨリモドシ３１を介して、ハリス糸３２、錘３３、釣針３４が連結されている。このように、浮き１を釣り糸に取り付ける際に、浮き１の釣り糸に対する方向は、一方向に限定されない。
【００３５】
また、図４（ａ）、（ｂ）において、収容部１４に錘２７を収容する場合には、錘２７及びスプリング２８の収容順序が異なる。すなわち、図４（ａ）の場合には、突起栓１１が釣針３４側に位置しているため、錘２７が収容部１４の開口部側に位置するように、錘２７を収容部１４に収容する必要がある。そのため、図４（ａ）の場合には、収容部１４には先にスプリング２８を挿入し、その後、錘２７を収容して突起栓１１で密閉すればよい。一方、図４（ｂ）の場合には、突起栓１１が釣り竿側に位置しているため、錘２７が収容部１４の奥側（収容部１４の開口部側から遠い側）に位置するように、錘２７を収容部１４に収容する必要がある。そのため、図４（ｂ）の場合には、収容部１４には先に錘２７を挿入し、その後、スプリング２８を収容して突起栓１１で密閉すればよい。
【００３６】
図５は、図４（ａ）、（ｂ）に示す使用態様の場合の浮き１の状態を示す模式図であり、図５（ａ）は図４（ｂ）の使用態様に、図５（ｂ）は図４（ａ）の使用態様に対応した模式図である。また、浮き１の断面を示す模式図は、収容部１４に収容された錘２７、スプリング２８の位置関係を説明する図である。図５（ａ）では、突起栓１１が釣り竿側に位置しており、収容部１４には、錘２７が奥側に収容され、スプリング２８が開口部側に収容されている。一方、図５（ｂ）では、突起栓１１が釣針３４側に位置しており、収容部１４には、スプリング２８が奥側に収容され、錘２７が開口部側に収容されている。前述したように、収容部１４に錘２７を収容していない状態では、浮き１を水面３５に浮かべた際に、収容部１４側を下側（例えば水中）に、釣り糸が通る貫通穴１０側を上側（例えば水面３５上）にして、浮かんだ状態になる。そして、図５に示すように、収容部１４に錘２７を収容することにより、浮き１は収容部１４側が更に水中に沈んだ状態となる。
【００３７】
本実施形態の浮き１では、釣り糸は、本体２に設けられた貫通穴１０の他に、突起栓１１に設けられた貫通穴１２に通しても使用することができる。図４（ｃ）、（ｄ）は、収容部１４に錘２７を収容して浮き１を水面３５下に沈め、釣り糸（道糸３０）を突起栓１１の貫通穴１２に通した使用態様の例を示す模式図である。図４（ｃ）は、突起栓１１が図中下側に位置するように、収容部１４に錘２７を収容したときの浮き１の状態を示す模式図である。なお、図４（ｃ）では、錘２７が収容部１４の開口部側に位置するように、スプリング２８（図４（ｃ）では不図示）が挿入されている。一方、図４（ｄ）では、突起栓１１が図中上側に位置するように、収容部１４に錘２７を収容したときの浮き１の状態を示す模式図である。なお、図４（ｄ）では、錘２７が収容部１４の開口部側に位置するように、スプリング２８（図４（ｄ）では不図示）が挿入されている。
【００３８】
以上、本考案の浮き１について説明した。本実施形態では、本体２の割り溝３、外殻部５の割り溝６、突出部７の割り溝８の溝部分が、１本の直線状の溝部を形成するように、位置を揃えることにより貫通穴１０への開口が形成され、本体２に設けられた貫通穴１０へ釣り糸を通すための通路が形成される。これにより、釣り糸への浮き１の脱着を容易に行うことができ、釣り糸を切ることなく、浮きの交換を行うことができる。また、外殻部５、突出部７は本体２に嵌め込まれて一体化された状態で、浮き１を構成している。そのため、釣り糸から浮き１を脱着する際に外殻部５、突出部７を取り外す必要がなく、脱着作業が容易となる。また、浮き１を構成する部品が一体化されているため、浮き１を釣り糸から脱着する際に取り外す必要がないため、例えば取り外した部品を落としたり、紛失したりする心配がない。
【００３９】
また、浮き１の収容部１４には、予め浮き１に内蔵された錘が収容部１４の外周側に付設されている。そのため、収容部１４に錘２７を収容しなくても、浮き１は収容部１４を下側に、貫通穴１０を上側にして水面に浮かぶ状態となる。そのため、貫通穴１０に通された釣り糸が移動する際には、突出部７や本体２の底面に設けられた割りワッシャ１９に接触するため、釣り糸の滑りをよくすることができる。更に、収容部１４に錘２７を必要に応じて収容することにより、浮き１の水面に対する傾斜角度や方向を所望の角度や方向に調整することができる。また、浮き１は、貫通穴１０の他に、突起栓１１にも釣り糸を通す貫通穴１２を有しており、貫通穴１２に釣り糸を通して釣りを楽しむこともできる。
【００４０】
以上、本考案の好ましい実施の形態を説明したが、本考案はこれらに限定されるものではなく、その要旨の範囲内で様々な変形や変更が可能である。例えば、本体２の頭頂面１５の貫通穴１０の開口部に、割りワッシャを設けてもよい。
【００４１】
以上、本実施形態によれば、釣り糸を切ることなく、釣り糸に脱着可能な魚釣り用の浮きを提供することができる。
【符号の説明】
【００４２】
１：浮き
２：本体
３：割り溝
４：（本体）滑り止め部
５：外殻部
６：（外殻部）割り溝
７：突出部
８：（突出部）割り溝
９：（突出部）滑り止め部
１０：（本体）貫通穴
１１：突起栓
１２：（突起栓）貫通穴
１３：パッキン
１４：収容部
１５：頭頂面
１６：溝
１７：（胴体部）割り溝
１８：胴体部
１９：割りワッシャ
２０：嵌め込み部
２１：溝
２２：底面部
２３：底蓋
２４：突起部
２５：突起部
２６：爪
２７：錘
２８：スプリング
２９：錘
３０：道糸
３１：ヨリモドシ
３２：ハリス糸
３３：錘
３４：釣針
３５：水面
３６：（突起部）爪
３７：（突起部）爪
【図１】
0003214773.tif 000003
【図２】
0003214773.tif 000004
【図３】
0003214773.tif 000005
【図４】
0003214773.tif 000006
【図５】
0003214773.tif 000007